(57)【要約】【課題】ボトルとキャップとを完全に分別収集してリサイクルすることができるものを提供する。【解決手段】円板状の天板部２と、天板部２の周縁部に一端が連結される筒状の周壁部３と、周壁部３の他端側に所定の間隔をおいて設けられる環状のバンド部５と、周壁部３とバンド部５とを切り離し可能に連結するミシン目を有するブリッジ部とを備え、内部に液体が充填されるボトル２０の口部２１に被着されるキャップ１であって、バンド部５の周方向の一部にバンド部５を軸方向に切り離し可能なミシン目を設けるとともに、ミシン目の一方の縁部に位置するバンド部５と周壁部３との間を連結部１５により一体に連結し、ボトル２０の口部２１から取り外す際に、バンド部５と周壁部３とのミシン目が先に切断され、その後にバンド部５のミシン目が切断されるように構成する。【選択図】        図２
2005008202.tif 000002
【特許請求の範囲】
【請求項１】
円板状の天板部と、該天板部の周縁部に一端が連結される筒状の周壁部と、該周壁部の他端側に所定の間隔をおいて設けられる環状のバンド部と、前記周壁部と前記バンド部とを切り離し可能に連結するミシン目を有するブリッジ部とを備え、内部に液体が充填されるボトルの口部に被着されるキャップであって、前記バンド部の周方向の一部にバンド部を軸方向に切り離し可能なミシン目を設けるとともに、該ミシン目の一方の縁部に位置するバンド部と周壁部との間を一体に連結し、ボトルの口部から取り外す際に、バンド部と周壁部とのミシン目が先に切断され、その後にバンド部のミシン目が切断されるように構成したことを特徴とするキャップ。
【請求項２】
請求項１に記載のキャップを口部に被着してなることを特徴とするキャップ付きボトル。
【発明の詳細な説明】
【０００１】
【発明の属する技術分野】
本発明は、合成樹脂製のキャップ及びキャップ付きボトルに関し、特に、ピルファープルータイプのキャップ及びそのキャップを備えたキャップ付きボトルに関するものである。
【０００２】
【従来の技術】
近年、ミネラルウォーター、炭酸飲料、果汁飲料、日本茶、紅茶、コーヒー等の飲料の容器として所謂ＰＥＴボトル（ｐｏｌｙｅｔｈｙｌｅｎｅ  ｔｅｒｅｐｈｔｈａｌａｔｅ  ｂｏｔｔｌｅ、以下、「ＰＥＴボトル」という。）が多く使用されている。
【０００３】
ＰＥＴボトルは、内部にミネラルウォーター等の飲料が充填されるＰＥＴ製のボトルと、ボトルの口部に被着されてミネラルウォーター等の飲料を封入するＰＰ、ＰＥ等製のキャップとからなり、キャップをボトルの口部から取り外すことにより口部が開栓されるとともに、開栓後にキャップを再びボトルの口部に取り付けることにより口部が閉栓され、ボトル内に飲料を再び封入することができるものである。
【０００４】
上記のような構成のＰＥＴボトルは、容器包装リサイクル法の分別収集の対象とされ、消費者が分別排出したものを自治体が分別収集し、圧縮等の中間処理を施した後にリサイルク事業者に搬入し、リサイクル事業者において粉砕等の工程を経てフレーク状、ペレット状等に形成され、リサイクル品のリサイクル材料として使用されている。この種のＰＥＴボトルに関する先行技術には種々のものが提案されている（例えば、特許文献１参照。）。
【０００５】
【特許文献１】
特開平０８−１５６９５４号公報
【０００６】
【発明が解決しようとする課題】
ところで、上記のような構成のＰＥＴボトルにあっては、ボトルの口部側にキャップの一部（バンド部）が残った状態で分別収集されるため、ボトルをリサイクルすることによって得られるＰＥＴ製のリサイクル材料の品質が低下してしまう。このため、高い品質のＰＥＴ製のリサイクル材料を得るには、バンド部をボトルから取り外す作業が必要となり、その作業に非常に手間がかかり、リサイクルコストが高く付いてしまう。
【０００７】
本発明は、上記のような従来の問題を解決したものであって、ＰＥＴ製のボトルからＰＰ、ＰＥ樹脂等からなるキャップのバンド部を容易に除去することができ、これによりＰＥＴ製のボトルのみを容易に分別収集することができて、高い品質のＰＥＴ製のリサイクル材料が得られるとともに、リサイクルコストを大幅に低減させることのできるキャップ及びキャップ付きボトルを提供することを目的とするものである。
【０００８】
【課題を解決するための手段】
上記のような課題を解決するために、本発明の請求項１に係るキャップは、円板状の天板部と、該天板部の周縁部に一端が連結される筒状の周壁部と、該周壁部の他端側に所定の間隔をおいて設けられる環状のバンド部と、前記周壁部と前記バンド部とを切り離し可能に連結するミシン目を有するブリッジ部とを備え、内部に液体が充填されるボトルの口部に被着されるキャップであって、前記バンド部の周方向の一部にバンド部を軸方向に切り離し可能なミシン目を設けるとともに、該ミシン目の一方の縁部に位置するバンド部と周壁部との間を一体に連結し、ボトルの口部から取り外す際に、バンド部と周壁部とのミシン目が先に切断され、その後にバンド部のミシン目が切断されるように構成した手段を採用している。
また、本発明の請求項２に係るキャップ付きボトルは、請求項１に記載のキャップを口部に被着してなる手段を採用している。
【０００９】
【作用】
本発明は、上記のような手段を採用したことにより、キャップを回すと、キャップの周壁部とバンド部との間のブリッジ部がミシン目を境に切り離され、その後にバンド部がミシン目を境に軸方向に切り離され、バンド部が連結部を介して周壁部に連結された状態でキャップがボトルの口部から取り外される。そして、周壁部からバンド部を取り外し、この状態でキャップをボトルの口部に取り付けて締め付けることにより、口部にキャップが被着されてボトル内に飲料が再び封入されることになる。
【００１０】
【発明の実施の形態】
以下、図面に示す本発明の実施の形態について説明する。
図１〜図４には、本発明によるキャップ及びキャップ付きボトルの一実施の形態が示されていて、図１はキャップを取り付けた状態を示す斜視図、図２はキャップを取り外した状態を示す斜視図、図３は図１のキャップの正面図、図４は図２のキャップの正面図である。
【００１１】
すなわち、このキャップ１は、ＰＰ、ＰＥ等の合成樹脂から形成されるものであって、円板状の天板部２と、天板部２の周縁部に一端が一体に連結されるとともに、内面側に雌ねじのねじ部４が設けられる筒状の周壁部３と、周壁部３の他端側に所定の間隔をおいて設けられる環状のバンド部５と、バンド部５の一端と周壁部３の他端との間を切り離し可能に連結する環状の第１ブリッジ部６とを備えている。
【００１２】
第１ブリッジ部６は、バンド部５の一端と周壁部３の他端との間を周方向に所定の間隔ごとに連結する連結部８と、隣接する連結部８、８間に設けられるキャップ１の内外を貫通するスリット部９とからなる第１ミシン目７を有し、この第１ミシン目７の連結部８を切断することにより周壁部３がバンド部５から切り離されるようになっている。
【００１３】
バンド部５は、周方向の一箇所を軸方向に切り離した環状をなすものであって、切り離し部１０に面するバンド部５の周方向の両端間は第２ブリッジ部１１によって切り離し可能に連結されている。
【００１４】
バンド部５の切り離し部１０は、軸線と平行する方向に直線状、曲線状、鉤型状等に設けても良いし、軸線と所定の角度をなす方向に直線状、曲線状、鉤型状等に設けても良い。
【００１５】
第２ブリッジ部１１は、バンド部５の周方向の一端と他端との間を軸方向に所定の間隔ごとに連結する連結部１３と、隣接する連結部１３、１３間に設けられるキャップ１の内外を貫通するスリット部１４とからなる第２ミシン目１２を有し、この第２ミシン目１２の連結部１３を切断することによりバンド部５が切り離し部１０から周方向に切り離されるようになっている。
【００１６】
第２ブリッジ部１１の第２ミシン目１２の縁部には、バンド部５の一端と周壁部３の他端との間を一体に連結する連結部１５が設けられ、この連結部１５は、第１ブリッジ部６の連結部８よりも周方向に幅広に形成されている。
【００１７】
第１ブリッジ部６の第１ミシン目７の連結部８、第２ブリッジ部１１の第２ミシン目１２の連結部１３、及び第２ミシン目１２の縁部の連結部１５は、第１ミシン目７の連結部８、第２ミシン目１２の連結部１３、第２ミシン目１２の縁部の連結部１５の順に切断強度が大きくなるように設定されている。すなわち、キャップ１を後述するボトル２０の口部２１から取り外す場合、第１ミシン目７の連結部８が最初に切断され、その後に第２ミシン目１２の連結部１３が切断されてキャップ１が口部２１から取り外される。そして、その後に第２ミシン目１２の縁部の連結部１５を手等によって切断することにより、バンド部５を周壁部３から取り外すことができる。
【００１８】
ボトル２０は、ＰＥＴ等の合成樹脂から形成されるものであって、下端が閉塞された筒状のボトル本体２２と、ボトル本体２２の上端部に一体に設けられる筒状の口部２１とから構成されている。
【００１９】
口部２１の周面には雄ねじのねじ部２３が設けられ、このねじ部２３にキャップ１の周壁部３の内面側のねじ部４が螺合されるようになっている。口部２１の周面のねじ部２３の下方には環状の係止部２４が設けられ、この係止部２４にキャップ１のバンド部５が係止されるようになっている。この場合、口部２１の開口端部がキャップ１の天板部２の内面側に当接することにより、口部２１の開口端部が閉塞されてボトル２０の内部にミネラルウォーター、炭酸飲料、果汁飲料、日本茶、紅茶、コーヒー等の飲料が封入されるようになっている。
【００２０】
そして、上記のように構成したキャップ付きボトルのキャップ１を手で回すと、バンド部５がボトル２０の口部２１の係止部２４に係止された状態で、周壁部３とバンド部５との間の第１ブリッジ部６の第１ミシン目７の連結部８が切断され、周壁部３が第２ミシン目１２の縁部の連結部１５を残してバンド部５から切り離される。そして、さらに、キャップ１を回すと、バンド部５の第２ブリッジ部１１の第２ミシン目１２の連結部１３が切断され、バンド部５の切り離し部１０が軸方向に切り離され、バンド部５が第２ミシン目１２の縁部の連結部１５を介して周壁部３に連結された状態でキャップ１が口部２１から取り外される。
【００２１】
そして、第２ミシン目１２の縁部の連結部１５を折り曲げること等によって切断してバンド部５を周壁部３から取り外し、この状態でキャップ１をボトル２０の口部２１に再び取り付けることにより、口部２１が再びシールされてボトル２０の内部に飲料が封入されることになる。
【００２２】
そして、飲料を飲み干した後に、消費者はボトル２０とキャップ１とを分別して排出し、自治体がボトル２０とキャップ１を分別収集し、圧縮等の中間処理を施した後にリサイクル事業者に搬入し、リサイクル事業者において粉砕等の工程を経てフレーク状、ペレット状等に形成することにより、リサイクル品のリサイクル材料として使用することができるものである。
【００２３】
上記のように構成したこの実施の形態によるキャップ及びキャップ付きボトルにあっては、キャップ１をボトル２０の口部２１から取り外したときに、キャップ１のバンド部５がボトル２０の口部２１に残るようなことがないので、ＰＰ、ＰＥ等からなるキャップ１と、ＰＥＴからなるボトル２０とを完全に分別収集することができることになる。
【００２４】
従って、分別収集したＰＥＴからなるボトル２０にＰＰ、ＰＥ等からなるキャップ１のバンド部５が混入することがないので、ボトル２０をリサイクルすることによって得られるＰＥＴ製のリサイクル材料の品質を高めることができ、高品質のリサイクル品を製造することができることになる。
【００２５】
また、キャップ１のバンド部５は、キャップ１をボトル２０の口部２１から取り外す際に、周壁部３に連結された状態で口部２１から取り外されることになるので、バンド部５の取り外しに手間がかかるようなことはなく、リサイクルコストを大幅に低減させることができることになる。
【００２６】
【発明の効果】
本発明は、前記のように構成したことにより、キャップをボトルの口部から取り外す場合、周壁部とバンド部との間のミシン目が先に切断され、その後にバンド部のミシン目が切断され、バンド部が周壁部に連結された状態でキャップが口部から取り外されることになる。
従って、ボトルの口部にバンド部が残るようなことがないので、ＰＥＴからなるボトルとＰＰ、ＰＥ等からなるキャップとを完全に分別して収集してリサイクルすることができることになる。この結果、ボトルをリサイクルすることによって得られるリサイクル材料の品質を高めることができ、高品質のリサイクル品を製造することができる。
また、バンド部をボトルの口部から取り外す作業が不要であるので、バンド部の取り外しに手間がかかるようなことはなく、リサイクルコストを低減させることができることになる。
【図面の簡単な説明】
【図１】本発明によるキャップ及びキャップ付きボトルの一実施の形態の全体を示したものであって、キャップを取り付けた状態を示した斜視図である。
【図２】本発明によるキャップ及びキャップ付きボトルの一実施の形態の全体を示したものであって、キャップを取り外した状態を示した斜視図である。
【図３】図１のキャップの正面図である。
【図４】図２のキャップの正面図である。
【符号の説明】
１……キャップ
２……天板部
３……周壁部
４……ねじ部
５……バンド部
６……第１ブリッジ部
７……第１ミシン目
８……連結部
９……スリット部
１０……切り離し部
１１……第２ブリッジ部
１２……第２ミシン目
１３……連結部
１４……スリット部
１５……連結部
２０……ボトル
２１……口部
２２……ボトル本体
２３……ねじ部
２４……係止部
【図１】
2005008202.tif 000003
【図２】
2005008202.tif 000004
【図３】
2005008202.tif 000005
【図４】
2005008202.tif 000006